(57)【要約】【課題】  所要長さの支持棒の一端部側に二股状に拡開する先端部材を備えた刺股構成体１０を、つい立ての支持脚とし、着脱自在に結合して、つい立てを組立てることにより、刺股構成体の簡便かつ適切な設置を可能とし、緊急事態の発生に際して迅速かつ確実な使用ができる防具兼用つい立てを提供する。【解決手段】  所要長さの支持棒３２の一端部側に二股状に拡開する先端部材３４を備えた刺股構成体３０Ａ（３０Ｂ）を、つい立ての支持脚として、矩形状パネル２０の側端縁部２２A （２２B ）に着脱自在に結合して組立てた構成からなる。【選択図】  図１
2006084048.tif 000002
【特許請求の範囲】
【請求項１】
所要長さの支持棒の一端部側に二股状に拡開する先端部材を備えた刺股構成体を、つい立ての支持脚として、矩形状パネルの側端縁部に着脱自在に結合して組立てることを特徴とする防具兼用つい立て。
【請求項２】
前記支持脚としての刺股構成体を、矩形状パネルの両側端縁部にそれぞれ着脱自在に結合して組立てることを特徴とする請求項１記載の防具兼用つい立て。
【請求項３】
前記矩形状パネルを、支持脚としての刺股構成体を介して複数連接して組立てることを特徴とする請求項１または２記載の防具兼用つい立て。
【請求項４】
前記矩形状パネルの側端縁部に支持脚としての刺股構成体を着脱自在に結合するに際し、矩形状パネルの側端縁部と、これに対向する刺股構成体の支持棒の適所とに、それぞれ相互に接合離反する面ファスナを施してなることを特徴する請求項１ないし３のいずれかに記載の防具兼用つい立て。
【請求項５】
前記矩形状パネルの側端縁部は、ほぼ全面的に面ファスナを施すと共に、前記刺股構成体の支持棒の両端部にそれぞれ離間させて前記面ファスナと接合離反する面ファスナを部分的に施してなることを特徴する請求項４記載の防具兼用つい立て。
【発明の詳細な説明】
【技術分野】
【０００１】
本発明は、各種の公共施設、学校、幼稚園、会社および一般家庭等において使用するのに適したつい立てに係り、特に危害を加える惧れのある不法侵入者（例えば、刃物等を持った暴漢、強盗、犯罪者など）に対して、つい立ての支持脚を分離して、即座に防具（刺股）として利用できるように構成した防具兼用つい立てに関するものである。
【背景技術】
【０００２】
従来より、刃物等を持っている危険人物のみならず、粗暴な動物等の攻撃から身を守ったり、取り押さえたりするために使用する道具ないし器具として、刺股が知られている。すなわち、この刺股は、所要長さの支持棒の一端部側に二股状に拡開する先端部材を備えた構成からなり、前記二股状の先端部材を危険人物等に対して対抗させることにより、相手側と直接接触することなく、支持棒の長さだけ離間した防護位置において、前記二股状の先端部材により相手側を挟むようにして取り押さえることができるものである。
【０００３】
このように使用することができる刺股について、その利便性と使用に際しての安全性とをより高めるために、種々の改良が提案されている。例えば、刃物を持っている犯人等を制圧する場合においても、刃物で刺される危険性を解消して拘束し、取り押さえることができるように構成した刺股が提案されている（特許文献１参照）。
【０００４】
前記特許文献１に開示される刺股は、(1) 柄部と、この柄部の先端に取り付けた刺股本体とからなる刺股において、(2) 刺股本体は二股状に分岐した一対の分岐杆を有する二股杆と、(3) 前記両分岐杆の先端にそれぞれ連結すると共に所定の角度の範囲で互いに接近・離反する方向へ起伏自在に相対設した可動開閉杆と、(4) 前記両開閉杆が所定の角度に倒伏した時点で前記両開閉杆の起立方向への動きを解除自在にロックするロック手段と、(5) 一端を前記一方の開閉杆の先端部に係着すると共に他端を前記他方の開閉杆の先端部に係着して設けた適当な長さの拘束用ロープとを備え、(6) 前記両開閉杆を起伏させることにより、前記二股杆の先端を開閉させるように構成したものである。
【０００５】
このように構成された前記特許文献１に記載の刺股は、両可動開閉杆を開いた状態で刺股本体を目的箇所（危険人物等の腕）へ押し付けると、拘束用ロープを介して前記両開閉杆の先端に力が加えられるので、両開閉杆は倒伏し、この両杆で二股杆の両先端間を閉じた状態でロックされ、しかも前記両開閉杆が倒伏すると、前記ロープでエンドレス状の輪が形成されて、目的箇所（危険人物等の腕）をロープで拘束して、危険人物等に対して危険性なく取り押さえることができるとするものである。
【０００６】
また、刺股の別案として、取り押さえようとする対象体等（危険人物のみならず、粗暴な動物も対象とする）の胴等に押し付けて、対象体等の抵抗や逃走を防ぐため、対象体等の胴体等を押さえ付けるだけでなく、対象体の胴体等を挟み付けたり囲ったりすることにより、対象体等の抵抗や逃走を確実に防ぐことができるように構成した刺股が提案されている（特許文献２参照）。
【０００７】
前記特許文献２に開示される刺股は、(1) 把手の先端部に対象体の胴体、首又は四肢のいずれかの押さえ用に供する二股形状の押し当て部を有し、(2) 当該押し当て部の全体又はその一部が、その左右の先端部を近接させる方向に可動自在であり、(3) この可動が所持者の操作により、或いは対象体と押し当て部との接触に感応して行われ、(4) 且つ可動後の状態が維持できるようにした拘束部材を備えた構成からなるものである。すなわち、前記押し当て部に設けられる拘束部材は、前記対象体の胴体、首又は四肢のいずれかの周囲を略取り囲む方向に可動自在であり、所持者の操作或いは対象体と押し当て部若しくは拘束部材との接触に感応して可動し、その後の状態が維持されるように構成されている。
【０００８】
このように構成された前記特許文献２に記載の刺股は、対象体を威嚇したり、対象体の行為を制圧したり、対象体に打撃を与えて攻撃から身を守ったりすることができる。また、押し当て部を対象体の身体に押し付けて対象体から一定の距離を保ったり、対象体を取り押さえることができる。さらには、二股形状の押し当て部を対象体の身体に押し付けた後、押し当て部を開閉させたり、押し当て部に設けられた拘束部材を進退移動させることによって、対象体の身体を囲ったり、挟んだりすることにより、対象体の抵抗から更に身を守ったり、対象体の動きを抑えたり、対象体の逃走を阻止したりすることができるようになるものとされている。
【０００９】
【特許文献１】特開２００１−２８９５９３号公報
【特許文献２】特開２００３−２５４６９７号公報
【発明の開示】
【発明が解決しようとする課題】
【００１０】
前記特許文献１および特許文献２において、それぞれ提案されている刺股は、刺股の構成自体の改良に係るものである。しかるに、刺股はその危険性を有する対象物に対して、より安全に対抗し得ると共に、より簡便に取り押さえることができることは、重要である。しかしながら、このような刺股を準備しておいても、その収納および管理を明確かつ簡便にしておかなければ、緊急事態の発生に際して、迅速かつ確実に使用することができなくなるという問題がある。
【００１１】
例えば、刺股の迅速な使用を可能とするために、廊下や室内の壁等の常時監視可能な位置に引っ掛けておくことも考えられるが、廊下や室内の体裁を悪くするばかりでなく、不法侵入者である場合には、事前に察知されて使用が不可能となる事態も考えられる。このため、刺股が直接外部に露呈しないように、被覆物で被覆したり収納ケース等に収納したりすると、それらの比較的大型の設置スペースを必要とする等の難点がある。
【００１２】
そこで、本発明者は、前述した問題点を克服すべく種々検討を重ねた結果、所要長さの支持棒の一端部側に二股状に拡開する先端部材を備えた刺股構成体を、つい立ての支持脚として、つい立てを構成する矩形状パネルの少なくとも一方の側端縁部に対して着脱自在に結合して組立てることにより、室内等において全く邪魔にならず、しかも体裁を悪くしない状態で、刺股構成体の設置を可能とすると共に、緊急事態の発生に際して、刺股構成体の迅速かつ確実な使用ができ、前述した問題点を全て解消し得ることを突き止めた。
【００１３】
従って、本発明の目的は、所要長さの支持棒の一端部側に二股状に拡開する先端部材を備えた刺股構成体を、つい立ての支持脚とし、着脱自在に結合して、つい立てを組立てることにより、刺股構成体の簡便かつ適切な設置を可能とし、緊急事態の発生に際して迅速かつ確実な使用ができる防具兼用つい立てを提供することにある。
【課題を解決するための手段】
【００１４】
前記目的を達成するため、本発明の請求項１に記載の防具兼用つい立ては、所要長さの支持棒の一端部側に二股状に拡開する先端部材を備えた刺股構成体を、つい立ての支持脚として、矩形状パネルの側端縁部に着脱自在に結合して組立てることを特徴とする。
【００１５】
本発明の請求項２に記載の防具兼用つい立ては、前記支持脚としての刺股構成体を、矩形状パネルの両側端縁部にそれぞれ着脱自在に結合して組立てることを特徴とする。
【００１６】
本発明の請求項３に記載の防具兼用つい立ては、前記矩形状パネルを、支持脚としての刺股構成体を介して複数連接して組立てることを特徴とする。
【００１７】
本発明の請求項４に記載の防具兼用つい立ては、前記矩形状パネルの側端縁部に支持脚としての刺股構成体を着脱自在に結合するに際し、矩形状パネルの側端縁部と、これに対向する刺股構成体の支持棒の適所とに、それぞれ相互に接合離反する面ファスナを施してなることを特徴する。
【００１８】
本発明の請求項５に記載の防具兼用つい立ては、前記矩形状パネルの側端縁部は、ほぼ全面的に面ファスナを施すと共に、前記刺股構成体の支持棒の両端部にそれぞれ離間させて前記面ファスナと接合離反する面ファスナを部分的に施してなることを特徴する。
【発明の効果】
【００１９】
本発明の請求項１に記載の防具兼用つい立てによれば、所要長さの支持棒の一端部側に二股状に拡開する先端部材を備えた刺股構成体を、つい立ての支持脚として、矩形状パネルの側端縁部に着脱自在に結合するという簡単な構成にして、防具としての刺股構成体を簡便かつ適切な状態で設置することができると共に、緊急事態の発生に際して迅速かつ確実な使用ができる。
【００２０】
本発明の請求項２および３に記載の防具兼用つい立てによれば、つい立ての拡張的な設置を可能とすると共に、これに伴い多数の刺股構成体の設置も可能とし、緊急事態の発生に際して十分に対処することができる。
【００２１】
本発明の請求項４および５に記載の防具兼用つい立てによれば、つい立ての支持脚として、矩形状パネルの側端縁部に刺股構成体を着脱自在に結合する手段として、面ファスナによる接合離反可能な構成とすることにより、緊急事態の発生に際して、刺股構成体の使用を極めて簡便かつ迅速に達成することができる。
【発明を実施するための最良の形態】
【００２２】
次に、本発明に係る防具兼用つい立ての実施例につき、添付図面を参照しながら以下詳細に説明する。
【００２３】
図１ないし図５は、本発明に係る防具兼用つい立ての一実施例を示すものである。すなわち、図１は本実施例の防具兼用つい立ての組み立て状態を示す概略斜視図、図２は図１の防具兼用つい立ての組立て状態の正面図、図３は同じく側面図、図４は同じく底面図、図５は図２のＡ−Ａ線拡大断面図である。
【００２４】
本実施例の防具兼用つい立て１０は、矩形状パネル２０と、この矩形状パネル２０の両側端縁部２２A 、２２B においてこれを支持する支持脚３０Ａ、３０Ｂとから構成される（図１参照）。そこで、本実施例の防具兼用つい立て１０においては、前記支持脚３０Ａ、３０Ｂの一方または両方を刺股構成体とし、この刺股構成体３０Ａ（３０Ｂ）は、所要長さの支持棒３２の一端部側に二股状に拡開する先端部材３４を備えた構成からなる（図１参照）。
【００２５】
しかるに、本実施例の防具兼用つい立て１０においては、前記矩形状パネル２０の両側端縁部２２A 、２２B を、ほぼ全面的に面ファスナ２４A 、２４B を施すと共に、前記支持脚としての刺股構成体３０Ａ、３０Ｂの支持棒３２の両端部にそれぞれ離間させて前記面ファスナ２４A 、２４B と接合離反する面ファスナ３６ａ、３６ｂを部分的に施して、前記矩形状パネル２０の両側端縁部２２A 、２２B に対して支持脚としての刺股構成体３０Ａ、３０Ｂを接合離反可能に、すなわち着脱自在に結合する（図１ないし図５参照）。
【００２６】
前述した構成からなる本実施例の防具兼用つい立て１０は、前記支持脚としての刺股構成体３０Ａ、３０Ｂを、矩形状パネル２０の両側端縁部２２A 、２２B にそれぞれ着脱自在に結合する場合、前記一方または両方の刺股構成体３０Ａ、３０Ｂに対して、さらに前記構成からなる矩形状パネル（図示せず）を連接して、複数の矩形状パネルからなる防具兼用つい立て１０を任意に設定することができる。このように構成することにより、多数の刺股構成体（３０Ａ、３０Ｂ）の設置を可能として、緊急事態の発生に際して十分に対処することができる。
【００２７】
前述したように、本実施例に係る防具兼用つい立て１０は、これを各種の公共施設、学校、幼稚園、会社および一般家庭等において、室内等の適所において、何等邪魔にならずしかも違和感もなく、従来の家具と同様に、簡便に設置することができる。そして、例えば危険人物等の不法侵入による緊急事態の発生に際しては、前記防具兼用つい立て１０から刺股構成体３０Ａ、３０Ｂを迅速に分離保持して、防具として危険人物等に対して有効に活用することができると共に、危険人物等を容易に取り押さえることが可能となる。
【００２８】
以上、本発明の好適な実施例について説明したが、本発明は前記実施例に限定されることなく、例えば矩形状パネルの側端縁部に刺股構成体を着脱自在に結合する手段として、面ファスナ以外の接合離反ないし係合離脱可能な公知の種々の機構ないし器具等を採用することができる等、その他本発明の精神を逸脱しない範囲内において多くの設計変更を行うことができることは勿論である。
【図面の簡単な説明】
【００２９】
【図１】本発明に係る防具兼用つい立ての一実施例を示す概略斜視図である。
【図２】図１における防具兼用つい立ての組立て状態を示す正面図である。
【図３】図２に示す防具兼用つい立ての側面図である。
【図４】図２に示す防具兼用つい立ての底面図である。
【図５】図２に示す防具兼用つい立てのＡ−Ａ線拡大断面図である。
【符号の説明】
【００３０】
１０  防具兼用つい立て
２０  矩形状パネル
２２A 、２２B   側端縁部
２４A 、２４B   面ファスナ
３０Ａ、３０Ｂ  刺股構成体
３２  支持棒
３４  二股状の先端部材
３６ａ、３６ｂ  面ファスナ
【図１】
2006084048.tif 000003
【図２】
2006084048.tif 000004
【図３】
2006084048.tif 000005
【図４】
2006084048.tif 000006
【図５】
2006084048.tif 000007